【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  セグメント方式のＯＦＤＭ（直交周波数分割多重）伝送において周波数誤差を検出する装置であって、
ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、
a)前記制御信号の１シンボル内におけるサブキャリア位置を示すパイロットパターンを記憶する手段と、
b)ＯＦＤＭ受信信号をＦＦＴ演算することによりＯＦＤＭ復調信号を出力するＦＦＴ演算手段と、
d)前記ＯＦＤＭ復調信号の信号値を自乗演算する自乗演算手段と、
e)前記自乗演算手段の出力信号と、前記パイロットパターンとの間で相関値を算出する相関手段と、
を備え、
前記相関手段による相関結果から周波数ずれを検出し、
前記相関手段は、
e-2)前記パイロットパターンを複数シンボル直列に接続したパターン信号と、同シンボル数直列に接続したＯＦＤＭ復調信号との間で相関値を算出する手段、
を含むことを特徴とするＯＦＤＭ復調装置における周波数誤差検出装置。
【請求項２】  セグメント方式のＯＦＤＭ（直交周波数分割多重）伝送において周波数誤差を検出する装置であって、
ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、
a)前記制御信号の１シンボル内におけるサブキャリア位置を示すパイロットパターンを記憶する手段と、
b)ＯＦＤＭ受信信号をＦＦＴ演算することによりＯＦＤＭ復調信号を出力するＦＦＴ演算手段と、
d)前記ＯＦＤＭ復調信号の信号値を自乗演算する自乗演算手段と、
e)前記自乗演算手段の出力信号と、前記パイロットパターンとの間で相関値を算出する相関手段と、
を備え、
前記相関手段による相関結果から周波数ずれを検出し、
前記相関手段は、
e-1)複数のシンボルに対する相関処理によって得られた相関値から平均相関値を算出する手段、
を含むことを特徴とするＯＦＤＭ復調装置における周波数誤差検出装置。
【請求項３】  請求項１または請求項２に記載のＯＦＤＭ復調装置における周波数誤差検出装置において、さらに、
c)前記自乗演算手段による自乗演算を実行する前に、前記ＯＦＤＭ復調信号をその振幅値で除算することにより、複素信号である情報信号および実数信号である前記制御信号の振幅を単位大きさの正規化信号として出力する手段、
を備えることを特徴とするＯＦＤＭ復調装置における周波数誤差検出装置。
【請求項４】  請求項１ないし請求項３のいずれかに記載のＯＦＤＭ復調装置における周波数誤差検出装置において、さらに、
f)前記相関手段による相関値の演算を実行する前に、一のシンボル中のｋ番目（ｋは０〜Ｎ−１の整数；Ｎは１シンボル中のサブキャリア数）のサブキャリア位置のＯＦＤＭ復調信号と、他のシンボル中の同じｋ番目のサブキャリア位置のＯＦＤＭ復調信号との間で、共役複素乗算を行なう手段、
を備えることを特徴とするＯＦＤＭ復調装置における周波数誤差検出装置。
【請求項５】  請求項４に記載のＯＦＤＭ復調装置における周波数誤差検出装置において、
前記手段f)は、隣接２シンボル間で共役複素乗算を行なうことを特徴とするＯＦＤＭ復調装置における周波数誤差検出装置。
【請求項６】  請求項１ないし請求項５のいずれかに記載のＯＦＤＭ復調装置における周波数誤差検出装置において、
前記ＯＦＤＭ復調装置は、１セグメント受信を行なう復調装置であり、前記ＦＦＴ演算器から出力されるＯＦＤＭ復調信号は、１セグメント分の信号であることを特徴とするＯＦＤＭ復調装置における周波数誤差検出装置。
【請求項７】  請求項１ないし請求項６のいずれかに記載のＯＦＤＭ復調装置における周波数誤差検出装置において、
前記制御信号は、
前記セグメント方式のＯＦＤＭ伝送において送信されるＡＣ１信号、
を含むことを特徴とするＯＦＤＭ復調装置における周波数誤差検出装置。
【請求項８】  請求項１ないし請求項７のいずれかに記載のＯＦＤＭ復調装置における周波数誤差検出装置において、
前記制御信号は、
前記セグメント方式のＯＦＤＭ伝送において送信されるＴＭＣＣ信号、
を含むことを特徴とするＯＦＤＭ復調装置における周波数誤差検出装置。
【請求項９】  セグメント方式のＯＦＤＭ（直交周波数分割多重）伝送において周波数誤差を検出する方法であって、
ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、
a)ＯＦＤＭ受信信号をＦＦＴ演算することによりＯＦＤＭ復調信号を出力する工程と、
c)前記ＯＦＤＭ復調信号の信号値を自乗演算する工程と、
d)前記制御信号の１シンボル内におけるサブキャリア位置を示すパイロットパターンと、前記工程c)の出力信号との間で相関値を算出する工程と、
を備え、
前記工程d)は、
d-2)前記パイロットパターンを複数シンボル直列に接続したパターン信号と、同シンボル数直列に接続したＯＦＤＭ復調信号との間で相関値を算出する工程、
を含むことを特徴とするＯＦＤＭ復調装置における周波数誤差検出方法。
【請求項１０】  セグメント方式のＯＦＤＭ（直交周波数分割多重）伝送において周波数誤差を検出する方法であって、
ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、
a)ＯＦＤＭ受信信号をＦＦＴ演算することによりＯＦＤＭ復調信号を出力する工程と、
c)前記ＯＦＤＭ復調信号の信号値を自乗演算する工程と、
d)前記制御信号の１シンボル内におけるサブキャリア位置を示すパイロットパターンと、前記工程c)の出力信号との間で相関値を算出する工程と、
を備え、
前記工程d)は、
d-1)複数のシンボルに対する相関処理によって得られた相関値から平均相関値を算出する工程、
を含むことを特徴とするＯＦＤＭ復調装置における周波数誤差検出方法。
【請求項１１】  請求項９または請求項１０に記載のＯＦＤＭ復調装置における周波数誤差検出方法において、さらに、
b)前記工程c)より前の工程において、前記ＯＦＤＭ復調信号をその振幅値で除算し、正規化信号を出力する工程、
を含むことを特徴とするＯＦＤＭ復調装置における周波数誤差検出方法。
【請求項１２】  請求項９ないし請求項１１のいずれかに記載のＯＦＤＭ復調装置における周波数誤差検出方法において、さらに、
e)前記工程d)より前の工程において、一のシンボル中のｋ番目（ｋは０〜Ｎ−１の整数；Ｎは１シンボル中のサブキャリア数）のサブキャリア位置のＯＦＤＭ復調信号と、他のシンボル中の同じｋ番目のサブキャリア位置のＯＦＤＭ復調信号との間で、共役複素乗算を行なう工程、
を備えることを特徴とするＯＦＤＭ復調装置における周波数誤差検出方法。
【手続補正２】
【補正対象書類名】明細書
【補正対象項目名】００４１
【補正方法】変更
【補正の内容】
【００４１】
【課題を解決するための手段】
上記課題を解決するため、請求項１記載の発明は、セグメント方式のＯＦＤＭ（直交周波数分割多重）伝送において周波数誤差を検出する装置であって、ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、a)前記制御信号の１シンボル内におけるサブキャリア位置を示すパイロットパターンを記憶する手段と、b)ＯＦＤＭ受信信号をＦＦＴ演算することによりＯＦＤＭ復調信号を出力するＦＦＴ演算手段と、d)前記ＯＦＤＭ復調信号の信号値を自乗演算する自乗演算手段と、e)前記自乗演算手段の出力信号と、前記パイロットパターンとの間で相関値を算出する相関手段と、を備え、前記相関手段による相関結果から周波数ずれを検出し、前記相関手段は、e-2)前記パイロットパターンを複数シンボル直列に接続したパターン信号と、同シンボル数直列に接続したＯＦＤＭ復調信号との間で相関値を算出する手段、を含むことを特徴とする。
【手続補正３】
【補正対象書類名】明細書
【補正対象項目名】００４２
【補正方法】変更
【補正の内容】
【００４２】
請求項２記載の発明は、セグメント方式のＯＦＤＭ（直交周波数分割多重）伝送において周波数誤差を検出する装置であって、ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、a)前記制御信号の１シンボル内におけるサブキャリア位置を示すパイロットパターンを記憶する手段と、b)ＯＦＤＭ受信信号をＦＦＴ演算することによりＯＦＤＭ復調信号を出力するＦＦＴ演算手段と、d)前記ＯＦＤＭ復調信号の信号値を自乗演算する自乗演算手段と、e)前記自乗演算手段の出力信号と、前記パイロットパターンとの間で相関値を算出する相関手段と、を備え、前記相関手段による相関結果から周波数ずれを検出し、前記相関手段は、e-1)複数のシンボルに対する相関処理によって得られた相関値から平均相関値を算出する手段、を含むことを特徴とする。
【手続補正４】
【補正対象書類名】明細書
【補正対象項目名】００４３
【補正方法】変更
【補正の内容】
【００４３】
請求項３記載の発明は、請求項１または請求項２に記載のＯＦＤＭ復調装置における周波数誤差検出装置において、さらに、c)前記自乗演算手段による自乗演算を実行する前に、前記ＯＦＤＭ復調信号をその振幅値で除算することにより、複素信号である情報信号および実数信号である前記制御信号の振幅を単位大きさの正規化信号として出力する手段、
を備えることを特徴とする。
【手続補正５】
【補正対象書類名】明細書
【補正対象項目名】００４４
【補正方法】変更
【補正の内容】
【００４４】
請求項４記載の発明は、請求項１ないし請求項３のいずれかに記載のＯＦＤＭ復調装置における周波数誤差検出装置において、さらに、f)前記相関手段による相関値の演算を実行する前に、一のシンボル中のｋ番目（ｋは０〜Ｎ−１の整数；Ｎは１シンボル中のサブキャリア数）のサブキャリア位置のＯＦＤＭ復調信号と、他のシンボル中の同じｋ番目のサブキャリア位置のＯＦＤＭ復調信号との間で、共役複素乗算を行なう手段、を備えることを特徴とする。
【手続補正６】
【補正対象書類名】明細書
【補正対象項目名】００４５
【補正方法】変更
【補正の内容】
【００４５】
請求項５記載の発明は、請求項４に記載のＯＦＤＭ復調装置における周波数誤差検出装置において、前記手段f)は、隣接２シンボル間で共役複素乗算を行なうことを特徴とする。
【手続補正７】
【補正対象書類名】明細書
【補正対象項目名】００４６
【補正方法】変更
【補正の内容】
【００４６】
請求項６記載の発明は、請求項１ないし請求項５のいずれかに記載のＯＦＤＭ復調装置における周波数誤差検出装置において、前記ＯＦＤＭ復調装置は、１セグメント受信を行なう復調装置であり、前記ＦＦＴ演算器から出力されるＯＦＤＭ復調信号は、１セグメント分の信号であることを特徴とする。
【手続補正８】
【補正対象書類名】明細書
【補正対象項目名】００４７
【補正方法】変更
【補正の内容】
【００４７】
請求項７記載の発明は、請求項１ないし請求項６のいずれかに記載のＯＦＤＭ復調装置における周波数誤差検出装置において、前記制御信号は、前記セグメント方式のＯＦＤＭ伝送において送信されるＡＣ１信号、を含むことを特徴とする。
【手続補正９】
【補正対象書類名】明細書
【補正対象項目名】００４８
【補正方法】変更
【補正の内容】
【００４８】
請求項８記載の発明は、請求項１ないし請求項７のいずれかに記載のＯＦＤＭ復調装置における周波数誤差検出装置において、前記制御信号は、前記セグメント方式のＯＦＤＭ伝送において送信されるＴＭＣＣ信号、を含むことを特徴とする。
【手続補正１０】
【補正対象書類名】明細書
【補正対象項目名】００４９
【補正方法】変更
【補正の内容】
【００４９】
請求項９記載の発明は、セグメント方式のＯＦＤＭ（直交周波数分割多重）伝送において周波数誤差を検出する方法であって、ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、a)ＯＦＤＭ受信信号をＦＦＴ演算することによりＯＦＤＭ復調信号を出力する工程と、c)前記ＯＦＤＭ復調信号の信号値を自乗演算する工程と、d)前記制御信号の１シンボル内におけるサブキャリア位置を示すパイロットパターンと、前記工程c)の出力信号との間で相関値を算出する工程と、を備え、前記工程d)は、d-2)前記パイロットパターンを複数シンボル直列に接続したパターン信号と、同シンボル数直列に接続したＯＦＤＭ復調信号との間で相関値を算出する工程、を含むことを特徴とする。
【手続補正１１】
【補正対象書類名】明細書
【補正対象項目名】００５０
【補正方法】変更
【補正の内容】
【００５０】
請求項１０記載の発明は、セグメント方式のＯＦＤＭ（直交周波数分割多重）伝送において周波数誤差を検出する方法であって、ＯＦＤＭ信号は、ＯＦＤＭ信号の１シンボルを構成するセグメントの配置に依存することなく、挿入されるサブキャリア位置が固定している制御信号を含んでおり、かつ、前記制御信号は、絶対値の等しい正負の２つの実数値をとる信号であって、a)ＯＦＤＭ受信信号をＦＦＴ演算することによりＯＦＤＭ復調信号を出力する工程と、c)前記ＯＦＤＭ復調信号の信号値を自乗演算する工程と、d)前記制御信号の１シンボル内におけるサブキャリア位置を示すパイロットパターンと、前記工程c)の出力信号との間で相関値を算出する工程と、を備え、前記工程d)は、d-1)複数のシンボルに対する相関処理によって得られた相関値から平均相関値を算出する工程、を含むことを特徴とする。
【手続補正１２】
【補正対象書類名】明細書
【補正対象項目名】００５１
【補正方法】変更
【補正の内容】
【００５１】
請求項１１記載の発明は、請求項９または請求項１０に記載のＯＦＤＭ復調装置における周波数誤差検出方法において、さらに、b)前記工程c)より前の工程において、前記ＯＦＤＭ復調信号をその振幅値で除算し、正規化信号を出力する工程、を含むことを特徴とする。
【手続補正１３】
【補正対象書類名】明細書
【補正対象項目名】００５２
【補正方法】変更
【補正の内容】
【００５２】
請求項１２記載の発明は、請求項９ないし請求項１１のいずれかに記載のＯＦＤＭ復調装置における周波数誤差検出方法において、さらに、e)前記工程d)より前の工程において、一のシンボル中のｋ番目（ｋは０〜Ｎ−１の整数；Ｎは１シンボル中のサブキャリア数）のサブキャリア位置のＯＦＤＭ復調信号と、他のシンボル中の同じｋ番目のサブキャリア位置のＯＦＤＭ復調信号との間で、共役複素乗算を行なう工程、を備えることを特徴とする。
【手続補正１４】
【補正対象書類名】明細書
【補正対象項目名】００９８
【補正方法】変更
【補正の内容】
【００９８】
【発明の効果】
以上説明したように、請求項３および請求項１１記載の発明では、ＯＦＤＭ復調信号を振幅値で除算することにより正規化するので、正負２値の実数をとる制御信号を±１に変換することができる。これにより、後の自乗演算で制御信号は＋１の信号となるので、相関に有利となる。
【手続補正１５】
【補正対象書類名】明細書
【補正対象項目名】００９９
【補正方法】変更
【補正の内容】
【００９９】
請求項４、５および１２記載の発明では、サブキャリア間で共役複素乗算を行なうことにより、ＦＦＴ窓のずれ込みにより発生する付加位相を除去することが可能である。
【手続補正１６】
【補正対象書類名】明細書
【補正対象項目名】０１００
【補正方法】変更
【補正の内容】
【０１００】
請求項２および１０記載の発明では、複数のシンボルに対する相関値の平均値をとるので、相関精度を向上させることが可能である。
【手続補正１７】
【補正対象書類名】明細書
【補正対象項目名】０１０１
【補正方法】変更
【補正の内容】
【０１０１】
請求項１および９記載の発明では、複数のシンボルの復調信号を用いて相関値を算出するので、相関精度を向上させることが可能である。
【手続補正１８】
【補正対象書類名】明細書
【補正対象項目名】０１０２
【補正方法】変更
【補正の内容】
【０１０２】
請求項６記載の発明では、１セグメント受信に適用させることにより、パイロット信号が少ない受信処理においても、精度の高い相関処理を行なうことができる。
【手続補正１９】
【補正対象書類名】明細書
【補正対象項目名】０１０３
【補正方法】変更
【補正の内容】
【０１０３】
請求項７記載の発明では、制御信号としてＡＣ１信号を利用することにより、セグメント方式のＯＦＤＭ伝送においても相関処理が可能である。
【手続補正２０】
【補正対象書類名】明細書
【補正対象項目名】０１０４
【補正方法】変更
【補正の内容】
【０１０４】
請求項８記載の発明では、制御信号としてＴＭＣＣ信号を利用することにより、セグメント方式のＯＦＤＭ伝送においても相関処理が可能である。